(57)【要約】［課題］  従来の花火機器類にあっては、諸々の打ち上げ花火にしろ、多種多様な仕掛け花火等にしろ、総じて、地上から火花噴射させるのが主流（大半）であり、以て、これでは、勿論、独創的な花火の広域（持続）性などがある程度、範囲的（時間的）に限られてしまう・・・。［解決手段］  さほど、時空的な制限を超越して、よもや、全天にまたがる夢のような創作花火を演出するには、随時、夜空（大空）を駆け抜ける＜小型＞飛行機の空路（無制限の飛行空域）を利用して、その機体後方の底部等（花火の火の粉が飛行機胴体にかからぬような各位置）に、新たなる＜スカイ＞花火の噴出装置を取り付け、適時、操縦席等に備えつけた点火スイッチを入れながら、彼の飛行中、彼方の上空（海上）から、勢いよく噴出花火等を放出すればよい。＊尚、本スカイ花火を上空（陸上）より施す場合、火の粉類が空中にて灰となって消滅する為、（遥か）真下の住宅に居する住民に、（多大な）被害を及ぼすことは先ず、あり得ないことを付け加えておく次第なり。【選択図】        図１
2004163076.tif 000002
【特許請求の範囲】
【請求項１】
先んじて、本発明品に関与する関係器具諸共、＜組立キット方式にて＞簡易的に製作しつつ、順次、飛行機胴体の後部などに首尾よく備え付けることができる、どんな種類（サイズ）の機体にも対応した万能タイプの＜統合型＞発火装置類（図１等参照）とその付属パーツ類一式。
＜多様な噴射口をもつスカイ花火専用（イベント用）の火薬ホルダーと同花火用の火薬類等含む＞
【請求項２】
予め、本新規装置など（火薬爆破の防止用消火機器類等含）を搭載（内蔵又は外付け）したオリジナル・エアープレーン：（軽）飛行機類のみならず、他の乗物（飛行船や気球等）の飛行過程（飛行ルート）に於て（大々的に）催し得るスカイ花火演出用のオリジナル・プログラム・データ・システムを取り入れた花火方式（様式）。
【請求項３】
無人のラジコン模型飛行機などにも直ぐさま、取付けられる付随的な花火装置｛ミニサイズ版｝とそのプレミア花火の仕組み。
【請求項４】
ある程度、火花の光彩が持続するオリジナルの＜噴出＞花火（昼花火もの含む）などを用いて、随時、機上より流す（天上の）音楽を織り交ぜながら、夜空（青空）に、（巨大な）絵文字やロゴ、シンボルマーク等を描いた広告手法云々。
【発明の詳細な説明】
【０００１】
［発明の属する技術分野］
本発明は、ごく新規にも、上空からの花火点火を可能にした、今までにない全く新しいタイプの発火装置類（既存の飛行機等に内蔵又は外付用含む）とその真新しい画期的な花火演出用プログラムのシステム開発などである。
【０００２】
［従来の技術］
本発明品が、何分、特殊な新装置である為、遺憾ながらも、当該技術＜製品＞に関する過去の文献等を引用しようもないが、とりわけ、本装置の製作に要する従来よりの主な関連技術を記せば、噴出花火等の発火時に派生する諸々の（コンピューター制御による）＜自動式＞点火器具、緊急用の＜自動＞消火機器、遠方より、あるものの位置や経路等を特定し得るナビゲーション・システム、ファン式等の送風システム、遠隔上の送受信可能なラジコン＜無線＞技術等々であり、これをして、（任意上）それらの（旧）技術を巧みに色々と組み合わせながら有効利用しつつ、さほど、新しい観点で、且つ、真新しい独特（独自）の仕組みを創造した上で成り立つものである。
【０００３】
［発明が解決しようとする課題］
従来の花火機器類にあっては、諸々の打ち上げ花火にしろ、多種多様な仕掛け花火等にしろ、総じて、地上から火花噴射させるのが主流（大半）であり、以て、これでは、無論、独創的な花火の広域（持続）性などがある程度、範囲的（時間的）に限られてしまう・・・。
【０００４】
［課題を解決する為の手段］
実しやかにも、全天にまたがる広大な（夢のような）花火を創作する為、先ずは、ごく新たに開発した本発火装置類（もしくは、既存の点火器具類を空中発火用に転用させた改良品など）を（旧型新型等の機種を問わず）諸般の＜軽＞飛行機等に取り付けた上で、順次、機上の操作等により、それらの機具類を用いながら、稀にも上空から点火させ、更に、悠遠彼方に拡がる広大な夜空（大空：スカイ・スクリーン）を舞台（キャンバス）にして、いみじくも、彼の＜アクロバット＞飛行ルート等に沿った光画（ちょうど、あの長く尾を引く飛行機雲のような噴出（流星）花火の残照光景）を描きながら、よもや、全天に、夢（魔法）のような空中花火＜スカイ花火（スカイ・ファンタジー）と命名＞を展開させればよい。
【０００５】
尚、本スカイ花火は、主に、火の粉類が空中にて灰となりつつ消滅する噴出花火などを使用する為、幸いにも、近年増加傾向中の花火事故による危険性＜即ち、川辺等より打ち上げる花火尺玉等の球皮（外皮）の破片などが地上（市街地）へ落下すること＞もなく、又、その確かなる実施にあたっては、前述通り、（新古の）飛行機を利用する為、概ね、海上地上を問わず、全空域（旅客機等の空路など除く）に渡って普く披露させることができ、それに加えて、専ら、地上（地面）下等に於ける（大）花火の準備にはつきものの（大掛かりな）設営等の手間などが懸からないのが利点である。
【０００６】
＊注、本装置類の装着先は、有人の飛行（航空）機類に限らず、別途、その機器のミニサイズ版などとして、無人のラジコン模型飛行機（ラジコンヘリ含む）等にも適用し、又、一機体につき、発火装置の取付数を（任意的に）１カ所〜数カ所とする。
【０００７】
［発明の実施の形態］
先ず第一に、予め、本発火装置類を搭載（内蔵）したオリジナル・エアープレーンを（大量）生産してもよいが、如何せん、数多ある既存の（有人式）飛行機等を有効活用させる為、より優先的に、それ等の機体に取り付ける独自開発上の発火装置類（外付けタイプ）と付属パーツ類などを用いるのが（最も）望ましい処とも云える。
【０００８】
以て、（さしあたり）その発明品の製作に当たっては、先ず、＜特殊硬化＞プラスチックやアルミニウムなどの不燃性の材質（軽金属類等）を用いて、総合的に、花火筒や点火器具等の関係器具を収める＜統合型＞発火装置の本体（第３図参照）を作り、次に、およそ、その本体の中央部分に据えつけた（塩化ビニール製等の）花火筒入れの外枠上の上下左右の余白にある所定の位置（同図による当器具類の備付位置は、ほんの一例）或いは、本体より、（ＲＣ）受信機等を外付けしたものの境界線上等々に、さほど、発火時の衝撃に影響しない程度の遮断壁（遮音材質）を設けて、当のラジコン受信機や臨時（緊急）用の消火機器などの関連器具類を適所（指定場所）に振り分けながら、凹凸等のはめ込み式もしくは、釘付け式等にて、別々にはめ込んでいく。
【０００９】
後は、概ね、それ等の関連器具類を各々の必要な個所に（電気）配線しながらつなぎ合わせ、総じて、各所ごと、コンパクト且つ精細にまとめ上げつつ、（簡易構造の組立キット方式にて）組み立てていけばよい。
【００１０】
そして、さほど、統合的に組み込んだ単一（単体）上の本発火装置を（大型小型等を問わず）いろんな機種の胴体（中胴や後胴等の部位）に、付属パーツ（ツール）類：＜（主に、単なる円状の輪でなく、尚適当な巻き工合に調節できる腰ベルトのような）巻き（ゴム）ベルト（ｄ））又は、ボルト等のネジ（金具）式のもの或いは、特殊な強力（瞬間）接着剤など＞を以て、的確に取り付け、追って、機上の操作により点火するには、事前に、（副）操縦席に備えつけた（自動手動の切替可能な）点火スイッチ専用の付属アタッチメントと有線もしくは無線によりつなげた（外付けの）発火装置類を連結させて、随時、さしたる発火装置内の筒入れに（段階的に）詰めた既存の噴出（噴水）花火又は、スカイ花火用のオリジナル（手筒）花火などの火薬類（ｍ：花火玉の星等含む）を予め、関連器具類に接続済みの点火プラグ等を以て、（順序立てて）発火させると同時に、さほど、火花（煙花）により生じた無類（無数）の火の粉類を（必要なら、各噴射口脇等に据えたスーパーファン式の＜オリジナル＞送風機などを作動させて）より遠くまで、勢い良く噴射（放射）させるようにし、又、ラジコン遠隔操作の場合には、ＲＣの原理に従って、無線機のアンテナにより、自動（或いは手動）の点火スイッチのオンオフは無論、さして、機上の操縦席のみならず、遠方（地上）からでも、事前に、ラジコン発信機内のコンピューター（メモリ）チップに内蔵した発火システムのオリジナルデータ（＜プレミア＞花火の点火順序や発火のタイミングなどの空中花火の演出手法）等を直ぐさま、上空彼方の受信機付発火装置に送信できるようにする。
【００１１】
そうすれば、順次、彼のスカイ花火演出用等の送信データに対応した発火装置内（付属）の＜専門＞受信機器（ｈ）などがうまく作動して、尚独創的な色とりどりの空中花火＜スカイ・ファンタジー＞が得られるようになる。
【００１２】
況んや、各々の操縦者（複数の点火者ら）が、飛行中、（必要なら）点火スイッチ等を配するアタッチメントの傍に付けた＜オリジナル＞ナビゲーションのデイスプレイ画面を見ながら、（互いに連係しつつ）適時、空中仕掛け花火の演出手法（予め、発火のタイミングや点火順序且つ、多彩なスカイ花火連の形態を形作るのに要する個々の空中での位置関係や飛行ルート等を示すナビ式のコンピューター・データー式）を参照しながら（順々に）点火すれば、本に、彼のアクロバット飛行等の＜広域＞ルートなどに応じて、（なお必要ならば、ＡＩ人工知能などを利用することにより、ある程度、大空に於ける気体の流体力学等を計算（予測）しつつ）見渡す限りの夜空（星空）にて、名高い星座（の輪郭）や人文字ならぬ光（絵）文字等を描くことなど以外に、実しやかにも、流星花火やオーロラ・マジック、光のトルネードやスパイラル・ファイヤー、ダイヤモンドリング・ファンタジー、空中ナイアガラ＜ナイアガラ・スカイ＞、ゴールデン・ファイヤー・フォール（黄金火炎の滝）、十字架クロス＜スター＞ファイヤー、ミラクル・レインボー、シャワー・ファイヤー（流星雨花火）、ライト・スコール等々の火技演出が相可能となり、まさに、これをして、前代未聞の空中ショーなどを演じさせるには、打ってつけのものである。
【００１３】
＊注、当の操縦席（付近）に、ナビ式の小型＜ヘッドアップ＞デイスプレイ装置類が、既に備え付けてあれば、別途、その関係器具に、スカイ花火用のプログラムデータ等を新たに組み込んでもよい。
【００１４】
尚、機上の点火スイッチに於ては、通常のボタン式のみならず、別段、操作しやすいよう、（手前に）引金を引くようなタイプなども広く採用し、又、添付の操作（コントロール）レバー＜ジョイステイックでも可＞により、発火させる向き（噴射角度）や点火回数等に応じた火の粉量の度合いなどを制御（調節）すれば尚良い。
【００１５】
本発火装置に於ける多種多様の噴射（仕掛け）装置の噴射口（口径）にあっては、予め、第４図のような一口タイプのものを初め、他にも、二口（以上）タイプ等々の各種機器を取り揃え、且つ又、花火の噴射方法（回数）に至っては、何分、飛行機一台（一飛行）につき、唯一回限りの火花噴射で終らぬよう、さほど、効率の悪い単発（一発）ものに限らず、第５図のような連続噴射方式を取るリボルバー式（回転式）など多数、用意する。
【００１６】
尚更、より噴射回数（度数）を増す為、各々の設置場所に、本発火機器類を（２個以上）段重ねして使用してもよい。
【００１７】
別に、（既定の飛行機類の他、飛行船や気球等への取付用に）全方位より、噴射角度を自由自在に変えられる特殊な発火装置なども、随時、オプションとして取り揃える。
【００１８】
剰え、夜空の彗星が、太陽風に煽られて、長く尾を引くように、花火噴射後（又は最中）に、発火器具類に付随した＜スーパー＞ファン式の送風システムなどをうまく利用すれば、とりわけ幻想的な＜流星＞花火等が得られ、尚効果大である。
【００１９】
万が一、火薬爆発等の緊急事態に備え、必須上、発火装置の傍ら（もしくは内部）に、爆破感知（予知）センサー等付きの＜自動式＞消火機器類（ｋ）を的確に備え付ける。
【００２０】
更に、＜オリジナル＞エアープレーンの機体等へのはめ込み式可動構造による場合には、概ね、操縦席の底部辺りから、下方の発火装置類につながった伸縮性のある（鉄製等の）フレーム枠を使用し、適時、その機体底部の開閉につき、花火の使用状況に応じて、能率よく切り替えればよい。
（さほど、開閉式にすることにより、一飛行中に、何度でも、筒内の火薬類を入れ替えることができ、この上は、より多く、スカイ花火を施せられるようになる）
【００２１】
［発明の効果］
本発明品の効果的な成果を促す工業上の利用に際しては、上記にて最優先させた形態＜先に取り上げた（必須上の）アイテム：総じて、本花火用の関連器具類を束にして、簡易的（任意的に）につなぎ合わせながら、適所に配置した１セット＜単一上＞の組ものの統合＜複合＞型装置類＞の実施（製作）のみならず、先の形態を基本にしながら、（概ね、オリジナルのプレミア花火用に）ラジコン模型飛行機類の付属品（縮小版）などとして、幅広く応用が効き、その上、ごく新規にも、上空より花火を灯すというこのスカイ花火の方式（様式）を取り入れれば、主に、（ハング）グライダーや気球等の他の乗物用に、本＜簡易式＞発火器具類（携帯型）の需要も（余剰的に）考えられ得る。
【００２２】
又、その（商用上の）利用方法（使途）については、概ね、私的な余暇（レジャー）等の用途に使われること以外に、あの（大掛かりな）花火フェステイバルやエアーショーなどの（公式）イベント時に於て、特段、鮮やかなスカイ花火の機器類を使用することにより、一部のイベント主催者や幾多の花火の観覧者（観光客）等を満足させるばかりか、当のナビ式の＜アクロバット＞飛行誘導システム機器類の使用（活用）とともに、ある程度、火花の光彩が持続するスカイ花火の火薬類（昼花火もの含む）などを用いれば、（新たなる上空からの公的な標語標識等の空中表示（標示）は無論）いとも広大な夜空（青空）に、許多のスポンサーらを喜ばせるのに十分な（巨大な）絵文字（宣伝文句）やロゴ、シンボルマーク等を描いた広告等の手法云々が可能となり、まさに、これさえあれば、別途、他の関連機具類をも交えつつ、いろんな観点から、（公式の）行事時などに、大いに役立つこと請け合いである。
【図面の簡単な説明】
【図１】機体上のスカイ発火装置類の取付位置（の二例）を示す飛行機の側面図である。
【図２】同じく、機体上の発火装置類の取付位置（の三例）を示す飛行機の正面図である。
【図３】主に、いろんな関連器具を配した＜統合型＞発火装置（無線式）の断面図である。
【図４】各々、（一部、ファン式の送風機などを交え）様々な○筒状（円筒形）等の噴射口を表わす本発火装置の背面図（簡略図）である。
【図５】各々、（一部、ファン式の送風機などを交え）様々な○筒状（円筒形）等の噴射口を表わす本発火装置の背面図（簡略図）である。
【図６】各々、（一部、ファン式の送風機などを交え）様々な○筒状（円筒形）等の噴射口を表わす本発火装置の背面図（簡略図）である。
【符号の説明】
ａ  本スカイ花火の発火装置
ｂ  別タイプの発火（点火）装置
ｃ  （補助用）アンテナ
ｄ  巻き（ゴム）ベルト式の備付器具（留め具）：（比較的、胴回りの浅いもの用）
ｅ  （補備の）花火装置Ａ
ｆ  同じく（補備の）花火装置Ａ１
ｇ  飛行機底辺の開閉式の扉（開口部）
ｈ  ＜ラジコン＞受信機器
Ｉ  受信アンテナ
ｊ  爆破（予知）感知センサー
ｋ  自動消火機器
ｌ  スーパー・ファン式の送風機（オプション）
ｍ  火薬類（星等）
ｎ  花火筒
ｏ  点火器具
ｐ  導火線（主軸又は主針）
ｑ  導火線（速火線）（オプション）
ｒ  スカイ花火演出用のプログラムデータ入りのコンピューターチップ
ｓ  花火筒の噴射口（一口タイプ）
ｔ  機体底部に合わせた別機種の接合（接着）面
ｕ  ファンの送風口
ｖ  花火装置の筒状の噴射口＜リボルバー式＞
ｗ  スカイ・ザ・レインボー（花火）の噴射口
【図１】
2004163076.tif 000003
【図２】
2004163076.tif 000004
【図３】
2004163076.tif 000005
【図４】
2004163076.tif 000006
【図５】
2004163076.tif 000007
【図６】
2004163076.tif 000008